(57)【要約】【課題】  カラー画像についてのスクリーン処理後の画質を低下させずに、エッジの縁取りを行う。【解決手段】  色変換部３３は、コンポジットブラックと判定された黒判定範囲の一方のエッジおよび他方のエッジについてのエッジ近傍部分をピュアブラックへ変換し、縁取りエッジ特定部３５は、ブラックプレーンについて、黒判定範囲のうち、黒判定範囲の一方のエッジおよび黒判定範囲の他方のエッジより内側の範囲をマスク範囲に設定し、そのマスク範囲外のエッジを、縁取り対象のエッジと特定する。【選択図】  図１
2014165773.tif 000002
【特許請求の範囲】
【請求項１】
コンポジットブラックと判定された黒判定範囲の一方のエッジおよび他方のエッジについてのエッジ近傍部分をピュアブラックへ変換する色変換部と、
ブラックプレーンについて、前記黒判定範囲のうち、前記黒判定範囲の一方のエッジおよび前記黒判定範囲の他方のエッジより内側の範囲をマスク範囲に設定し、前記マスク範囲外のエッジを、縁取り対象のエッジと特定する縁取りエッジ特定部と、
を備えることを特徴とする画像処理装置。
【請求項２】
前記縁取りエッジ特定部は、ブラック以外のカラープレーンについては、前記黒判定範囲の全部をマスク範囲とし、前記マスク範囲外のエッジを、縁取り対象のエッジと特定することを特徴とする請求項１記載の画像処理装置。
【請求項３】
前記黒判定範囲は、ブラックプレーンの画素値と、残りのカラープレーンのそれぞれの画素値とに基づいて特定されることを特徴とする請求項１記載の画像処理装置。
【請求項４】
前記黒判定範囲は、ブラックプレーンの画素値と、残りのカラープレーンのそれぞれの画素値の最小値との和が所定の閾値より大きい部分として特定されることを特徴とする請求項３記載の画像処理装置。
【請求項５】
前記所定の閾値は、最高濃度値より低いことを特徴とする請求項４記載の画像処理装置。
【請求項６】
前記黒判定範囲は、ブラックプレーンの画素値と、残りのカラープレーンのそれぞれの画素値の最小値との和が所定の第１閾値より大きく、かつ彩度が所定の第２閾値より低い部分として特定されることを特徴とする請求項３記載の画像処理装置。
【請求項７】
請求項１から請求項６のうちのいずれか１項記載の画像処理装置を備え、
前記縁取り対象のエッジに対して縁取りを行いつつスクリーン処理を行い、前記スクリーン処理後の画像を印刷すること、
を特徴とする画像形成装置。
【発明の詳細な説明】
【技術分野】
【０００１】
本発明は、画像処理装置および画像形成装置に関するものである。
【背景技術】
【０００２】
プリンター、複合機などの画像形成装置では、画像に対してスクリーン処理を行い、スクリーン処理後の画像で印刷を行う。
【０００３】
ある画像処理装置では、スクリーン処理の際に、エッジに対する縁取りを行っている（例えば特許文献１，２参照）。
【先行技術文献】
【特許文献】
【０００４】
【特許文献１】特開２０１２−９５１７２号公報
【特許文献２】特開２０１２−９５１７３号公報
【発明の概要】
【発明が解決しようとする課題】
【０００５】
一般的に、印刷対象となるカラー画像は、シアン、マゼンタ、イエロー、およびブラック（ＣＭＹＫ）の４プレーンで構成される。カラー画像内の黒は、全プレーンにおいて濃度を有するコンポジットブラックとして表現されることがある。
【０００６】
図３は、コンポジットブラックの領域およびそのエッジを説明する図である。図３に示すように、コンポジットブラックの領域は、ＣＭＹＫのすべてのプレーンにおいて濃度を有し、文字などのコンポジットブラックの領域は、各プレーンにおいてエッジ（図３における斜線部分）を有する。
【０００７】
このようなコンポジットブラックの領域を含む画像をスクリーン処理する際にエッジの縁取りを行う場合、全色のプレーンにおけるエッジに対する縁取りを行うことが考えられる。しかし、その場合、印刷の際に、縁取り後のエッジの総トナー量が非常に高くなるため、トナーのチリなどの問題が生じる可能性がある。
【０００８】
また、コピー機などの画像形成装置では、画像内の領域を、文字領域、階調領域などに分離する領域分離処理を行うことがある。また、領域分離処理によって黒の文字領域と判定された領域については、その領域のエッジ近傍部分をコンポジットブラックからピュアブラック（Ｋプレーン以外のプレーンの値をゼロとしＫプレーンの値で表現されるブラック）へ変換することがある。
【０００９】
図４は、黒の文字領域についてのエッジ近傍部分のコンポジットブラックからピュアブラックへの変換を説明する図である。図４に示すように、黒の文字領域についてのエッジ近傍部分１０１がピュアブラックへ変換され、エッジ近傍部分１０１以外の内部領域は、コンポジットブラックのままとされる。この場合、図４に示すように、Ｋプレーンにおいては、エッジ近傍部分１０１の両側にエッジ１０２，１０３が存在し、ＣＭＹプレーンにおいては、黒の文字領域の内部にエッジ１０４が存在することになる。
【００１０】
したがって、図４に示すように、エッジ近傍部分のコンポジットブラックからピュアブラックへの変換が行われた画像のスクリーン処理をする際に、黒の文字領域のエッジに対する縁取りを行う場合、ＣＭＹＫの各プレーンにおいて、文字領域の内部のエッジ１０３，１０４に対しても縁取りが行われ、スクリーン処理後の画質が低下する可能性がある。
【００１１】
本発明は、上記の問題に鑑みてなされたものであり、カラー画像についてのスクリーン処理後の画質を低下させずに、エッジの縁取りを行う画像処理装置および画像形成装置を得ることを目的とする。
【課題を解決するための手段】
【００１２】
本発明に係る画像処理装置は、コンポジットブラックと判定された黒判定範囲の一方のエッジおよび他方のエッジについてのエッジ近傍部分をピュアブラックへ変換する色変換部と、ブラックプレーンについて、前記黒判定範囲のうち、前記黒判定範囲の一方のエッジおよび前記黒判定範囲の他方のエッジより内側の範囲をマスク範囲に設定し、前記マスク範囲外のエッジを、縁取り対象のエッジと特定する縁取りエッジ特定部とを備える。
【００１３】
また、本発明に係る画像形成装置は、上記画像処理装置を備え、前記縁取り対象のエッジに対して縁取りを行いつつスクリーン処理を行い、前記スクリーン処理後の画像を印刷する。
【発明の効果】
【００１４】
本発明によれば、カラー画像についてのスクリーン処理後の画質を低下させずに、エッジの縁取りが行われる。
【図面の簡単な説明】
【００１５】
【図１】図１は、本発明の実施の形態に係る画像形成装置１の構成を示すブロック図である。
【図２】図２は、図１における縁取りエッジ特定部で設定されるマスク範囲を説明する図である。
【図３】図３は、コンポジットブラックの領域およびそのエッジを説明する図である。
【図４】図４は、黒の文字領域についてのエッジ近傍部分のコンポジットブラックからピュアブラックへの変換を説明する図である。
【発明を実施するための形態】
【００１６】
以下、図に基づいて本発明の実施の形態を説明する。
【００１７】
図１は、本発明の実施の形態に係る画像形成装置１の構成を示すブロック図である。図１に示す画像形成装置１は、複合機である。ただし、画像形成装置１は、プリンター、コピー機、ファクシミリ機などでもよい。
【００１８】
この画像形成装置１は、印刷装置１１と、画像読取装置１２と、ファクシミリ装置１３と、画像処理装置１４とを備える。
【００１９】
印刷装置１１は、スクリーン処理後のラスター画像データに基づいて原稿画像を印刷する内部装置である。例えば、印刷装置１１は、電子写真方式でＣＭＹＫ４色のトナーを使用してカラー画像を印刷する。
【００２０】
画像読取装置１２は、原稿から原稿画像を光学的に読み取り、原稿画像の画像データを生成する内部装置である。
【００２１】
ファクシミリ装置１３は、送信すべき原稿画像の画像データからファクシミリ信号を生成し所定の通信路を介して送信するとともに、ファクシミリ信号を所定の通信路を介して受信し画像データに変換する内部装置である。
【００２２】
画像処理装置１４は、画像読取装置１２などで生成された画像データに対して、領域分離、色変換、スクリーン処理などの画像処理を行う。
【００２３】
画像処理装置１４は、演算処理装置２１を有する。演算処理装置２１は、ＡＳＩＣ（Application Specific Integrated Circuit）やマイクロコンピューターで実現され、各種処理部を実現する。演算処理装置２１では、制御部３１、領域分離処理部３２、色変換部３３、高画質化処理部３４、縁取りエッジ特定部３５、およびスクリーン処理部３６が実現される。
【００２４】
制御部３１は、印刷装置１１、画像読取装置１２、およびファクシミリ装置１３を制御し、画像読取装置１２およびファクシミリ装置１３から原稿画像の画像データを取得したり、印刷装置１１に原稿画像の印刷を実行させたりする。
【００２５】
また、領域分離処理部３２は、原稿画像内の文字領域、階調領域などを特定し、分離する。
【００２６】
また、色変換部３３は、原稿画像の画像データを、例えばＲＧＢカラーデータから、印刷装置１１のトナー色（ＣＭＹＫ）に対応するＣＭＹＫカラーデータへ変換する。
【００２７】
さらに、色変換部３３は、変換後のＣＭＹＫカラーデータにおいて、コンポジットブラックを有する領域を黒判定領域として特定し、図４に示すように、黒判定領域についての主走査方向および／または副走査方向における範囲（以下、黒判定範囲という）の一方のエッジおよび他方のエッジについてのエッジ近傍部分をピュアブラックへ変換する。
【００２８】
また、高画質化処理部３４は、スクリーン処理後の画像のスムージング処理などを行う。
【００２９】
また、縁取りエッジ特定部３５は、ブラックプレーン（Ｋプレーン）について、上述の黒判定範囲のうち、黒判定範囲の一方のエッジおよび黒判定範囲の他方のエッジより内側の範囲をマスク範囲に設定し、そのマスク範囲外のエッジを、縁取り対象のエッジと特定する。
【００３０】
さらに、縁取りエッジ特定部３５は、ブラック以外のカラープレーンについては、上述の黒判定範囲の全部をマスク範囲とし、そのマスク範囲外のエッジを、縁取り対象のエッジと特定する。
【００３１】
この黒判定範囲は、ブラックプレーンの画素値と、残りのカラープレーンのそれぞれの画素値とに基づいて特定される。
【００３２】
例えば、黒判定範囲は、ブラックプレーンの画素値ｄｋと、残りのカラープレーンのそれぞれの画素値ｄｃ，ｄｍ，ｄｙの最小値との和（ｄｋ＋ＭＩＮ（ｄｃ，ｄｍ，ｄｙ））が所定の閾値Ｔｈより大きい部分として特定される。そして、この所定の閾値Ｔｈは、最高濃度値より低く設定される。例えば、各プレーンの画素値が８ビットデータの場合、最高濃度値は２５５となり、この閾値Ｔｈは、２５５未満、例えば１９６に設定される。
【００３３】
図２は、図１における縁取りエッジ特定部３５で設定されるマスク範囲を説明する図である。
【００３４】
図２（Ａ）は、階調領域における黒判定範囲のＣＭＹＫ各プレーンの濃度分布の一例を示している。階調領域における黒判定範囲については、上述のように、コンポジットブラックからピュアブラックへの変換が行われない。そして、ＣＭＹの各プレーンについては、階調領域における黒判定範囲の全域（つまり、黒判定範囲の一方のエッジから他方のエッジまでの範囲）が、マスク範囲に設定される。他方、ブラックプレーンについては、階調領域における黒判定範囲のうち、両端のエッジ５１より内側の範囲が、マスク範囲に設定される。
【００３５】
図２（Ｂ）は、文字領域における黒判定範囲のＣＭＹＫ各プレーンの濃度分布の一例を示している。文字領域における黒判定範囲については、上述のように、エッジ近傍部分について、コンポジットブラックからピュアブラックへの変換が行われる。そして、ＣＭＹの各プレーンについては、階調領域における黒判定範囲の全域（つまり、黒判定範囲の一方のエッジから他方のエッジまでの範囲）が、マスク範囲に設定される。他方、ブラックプレーンについては、階調領域における黒判定範囲のうち、両端のエッジ６１より内側の範囲が、マスク範囲に設定される。
【００３６】
つまり、ＣＭＹの各プレーンについては、領域種別（文字領域および階調領域）に拘わらず、黒判定範囲の全域（つまり、黒判定範囲の一方のエッジから他方のエッジまでの範囲）が、マスク範囲に設定される。他方、領域種別（文字領域および階調領域）に拘わらず、黒判定範囲の最も外側のエッジ５１，６１より内側の範囲が、マスク範囲に設定される。
【００３７】
したがって、縁取りエッジ特定部３５は、領域種別（文字領域および階調領域）を考慮せずに、縁取り対象のエッジを適切に特定している。つまり、仮に、領域分離処理による各画素の領域種別情報が得られなくても、縁取りエッジ特定部３５は、縁取り対象のエッジを適切に特定することができる。
【００３８】
また、スクリーン処理部３６は、縁取りエッジ特定部３５により指定されたエッジについての縁取りを行いつつ（つまり、縁取りエッジ特定部３５により指定されていないエッジについての縁取りを行わず）、ＣＭＹＫの各プレーンについてのスクリーン処理を行う。なお、エッジの縁取りについては、例えば、特開２０１２−９５１７２号公報および特開２０１２−９５１７３号公報に記載の方法を使用してもよい。
【００３９】
次に、上記画像形成装置の動作について説明する。
【００４０】
制御部３１は、例えばコピージョブにおいて、画像読取装置１２から、原稿画像の画像データを取得する。
【００４１】
そして、領域分離処理部３２は、その原稿画像に対して領域分離処理を行う。なお、領域分離処理の結果に基づいて、領域種別に応じた適応フィルタリングなどの処理が行われる。例えば、階調領域については平滑化が行われ、文字領域についてはエッジの鮮鋭化が行われる。
【００４２】
また、色変換部３３は、画像データを、ＲＧＢデータからＣＭＹＫデータへ変換するとともに、上述のように、黒の文字領域のエッジ近傍部分を、コンポジットブラックからピュアブラックへ変換する。
【００４３】
次に、高画質化処理部３４が、色変換部３３により処理された後の原稿画像に対してスムージング処理などを行う。
【００４４】
そして、縁取りエッジ特定部３５は、その原稿画像内の各プレーンについて、スクリーン処理された画像において縁取り対象となるエッジを上述のようにして特定する。
【００４５】
スクリーン処理部３６は、各プレーンについて、高画質化処理部３４による処理後の原稿画像に対してスクリーン処理を行うとともに、縁取りエッジ特定部３５により指定されたエッジの縁取りを行う。
【００４６】
このようにして、縁取りエッジ特定部３５により指定されたエッジの縁取りが行われたスクリーン処理後の画像データが得られると、制御部３１は、その画像データに基づく画像を印刷装置１１に印刷させる。
【００４７】
以上のように、上記実施の形態によれば、色変換部３３は、コンポジットブラックと判定された黒判定範囲の一方のエッジおよび他方のエッジについてのエッジ近傍部分をピュアブラックへ変換し、縁取りエッジ特定部３５は、ブラックプレーンについて、黒判定範囲のうち、黒判定範囲の一方のエッジおよび黒判定範囲の他方のエッジより内側の範囲をマスク範囲に設定し、そのマスク範囲外のエッジを、縁取り対象のエッジと特定する。
【００４８】
これにより、黒判定範囲内のエッジについては縁取りが行われずに済み、カラー画像についてのスクリーン処理後の画質を低下させずに、エッジの縁取りが行われる。
【００４９】
なお、上述の実施の形態は、本発明の好適な例であるが、本発明は、これらに限定されるものではなく、本発明の要旨を逸脱しない範囲において、種々の変形、変更が可能である。
【００５０】
例えば、上記実施の形態において、黒判定範囲は、（ａ）ブラックプレーンの画素値と、残りのカラープレーンのそれぞれの画素値の最小値との和（ｄｋ＋ＭＩＮ（ｄｃ，ｄ，ｄｙ））が所定の第１閾値Ｔｈより大きく、かつ（ｂ）彩度が所定の第２閾値Ｔｈ２より低い部分として特定されるようにしてもよい。
【産業上の利用可能性】
【００５１】
本発明は、例えば、プリンター、コピー機、複合機などの画像形成装置に適用可能である。
【符号の説明】
【００５２】
１  画像形成装置
１４  画像処理装置
３３  色変換部
３５  縁取りエッジ特定部
【図１】
2014165773.tif 000003
【図２】
2014165773.tif 000004
【図３】
2014165773.tif 000005
【図４】
2014165773.tif 000006